【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
少なくともループパイル糸からなるカーペット層と基布層と裏打ち層の３層からなるカーペットをリサイクルするにあたり、各構成層をそれぞれ個別に分離回収する事を特徴とするカーペットのリサイクル方法。
【請求項２】
少なくともループパイル糸からなるカーペット層と基布層と裏打ち層の３層からなるカーペットを該ループパイル糸のステッチ方向に引き伸ばして該裏打ち層と基布層の一部を破断せしめると同時に該カーペット層を構成する該ループパイル糸を該ループが解消する様に引き伸ばしながら該基布層若しくは該裏打ち層から剥離させることによって、カーペット層を構成する該ループパイル糸を基布層若しくは裏打ち層から個別に分離することを特徴とするループパイル糸を有するタフテッドタイプのカーペットの各構成材料を分離回収する方法。
【請求項３】
少なくともループパイル糸からなるカーペット層と基布層と裏打ち層の３層からなるカーペットを該ループパイル糸のステッチ方向に引き伸ばして該裏打ち層と基布層の一部を破断せしめると同時に該カーペット層を構成する該ループパイル糸を該ループが解消する様に引き伸ばしながら該基布層から分離させると共に該裏打ち層から剥離させることによって、カーペット層を構成する該ループパイル糸と基布層と裏打ち層を個別に分離することを特徴とするループパイル糸を有するタフテッドタイプのカーペットの各構成材料を分離回収する方法。
【請求項４】
該カーペットの一つの端部を機械的に把持する第１の把持手段と該カーペットの一つの端部から該ループパイル糸のステッチ方向に所定の距離だけ該カーペット本体内部方向に移動した位置に配置されて該カーペットの１部を機械的に把持するか若しくは該カーペットの他方の端部位置に配置され該カーペットの当該端部を機械的に把持する第２の把持手段とを設けると共に、少なくとも該第１の把持手段に、該カーペットを該ループパイル糸のステッチ方向に引き伸ばして該裏打ち層と基布層の一部を破断せしめると同時に該カーペット層を構成する該ループパイル糸を該ループが解消する様に引き伸ばしながら該基布層から分離させる機能を付与せしめ、該第１の把持手段に該カーペットの一つの端部を把持させると共に該第２の把持手段に該カーペットの他の端部若しくは該端部以外の１部を把持させた後、少なくとも該第１の把持手段を駆動させて該カーペット層を構成する該ループパイル糸と基布層と裏打ち層を個別に分離することを特徴とする請求項２又は３に記載のループパイル糸を有するタフテッドタイプのカーペットの各構成材料を分離回収する方法。
【請求項５】
該第１の把持手段と該第２の把持手段の少なくとも一方は、少なくとも該カーペットの１部を固定把持する構造を有しており、且つ少なくとも該第１の把持手段を該第２の把持手段から該ループパイル糸のステッチ方向に沿って離反する方向に移動させる事を特徴とする請求項４に記載のループパイル糸を有するタフテッドタイプのカーペットの各構成材料を分離回収する方法。
【請求項６】
当該カーペットを、該カーペットの一つの端部を機械的に把持する第１の把持手段と該カーペットの一つの端部から該ループパイル糸のステッチ方向に所定の距離だけ該カーペット本体内部方向に移動した位置に配置されて該カーペットの１部を機械的に把持するか若しくは該カーペットの他方の端部位置に配置され該カーペットの当該端部を機械的に把持する第２の把持手段で把持し、該第１の把持手段と第２の把持手段の間のカーペットを上下動する押圧部材で押圧する事により該カーペットをステッチ方向に引き伸ばして該裏打ち層と基布層の一部を破断せしめると同時に該カーペット層を構成する該ループパイル糸を該ループが解消する様に引き伸ばして該基布層から分離させることを特徴とする請求項２又は３に記載のループパイル糸を有するタフテッドタイプのカーペットの各構成材料を分離回収する方法。
【請求項７】
該第１及び第２の把持手段の少なくとも一方は、一対の基体部からなり、相互に対向した一対の面のそれぞれに突起部、針状部、突状部、畝状部、溝状部等から選択された少なくとも一つの種類からなる複数個の係止部材が形成されている事を特徴とする請求項３乃至６の何れかに記載のループパイル糸を有するタフテッドタイプのカーペットの各構成材料を分離回収する方法。
【請求項８】
該第１及び第２の把持手段の少なくとも一方は、一対の加圧式回転可能ローラで構成されている事を特徴とする請求項４又は５に記載のループパイル糸を有するタフテッドタイプのカーペットの各構成材料を分離回収する方法。
【請求項９】
該第１及び第２の把持手段の双方を一対の加圧式回転可能ローラで構成し、該第１の把持手段である一対の第１加圧式回転可能ローラに該カーペットの一つの端部を把持固定させると共に該第２の把持手段である一対の第２加圧式回転可能ローラに該カーペットの該端部以外の１部若しくは該カーペットの他方の端部を把持固定させた後、少なくとも該第１加圧式回転可能ローラの該カーペットを引き伸ばす方向に於ける回転速度を該第２加圧式回転可能ローラの当該回転速度より大なる速度で回転させる事を特徴とする請求項８に記載のループパイル糸を有するタフテッドタイプのカーペットの各構成材料を分離回収する方法。
【請求項１０】
該カーペットは、タイルカーペットである事を特徴とする請求項１乃至９の何れかに記載の分離回収する方法。
【請求項１１】
該カーペットは、カーペット本体部の製造時に発生する縦耳バリである事を特徴とする請求項１乃至１０の何れかに記載の分離回収する方法。
【請求項１２】
該カーペットのトリミング工程に連続して、請求項１乃至１１の何れかに記載された分離回収する方法を実行する事を特徴とするループパイル糸を有するタフテッドタイプのカーペットの各構成材料を分離回収する方法。
【請求項１３】
少なくともループパイル糸からなるカーペット層と基布層と裏打ち層の三層からなるカーペットの一つの端部を機械的に把持する第１の把持手段と、該カーペットの一つの端部から該ループパイル糸のステッチ方向に所定の距離だけ該カーペット本体内部方向に移動した位置に配置されている該カーペットの１部を機械的に把持するか或いは該カーペットの他方の端部を機械的に把持する第２の把持手段と、少なくとも該第１の把持手段に該カーペットを該ループパイル糸のステッチ方向に引き伸ばして該裏打ち層と基布層の一部を破断せしめると同時に該カーペット層を構成する該ループパイル糸を該ループが解消する様に引き伸ばしながら該基布層から分離させる機能が付与されており、且つ該第１の把持手段に当該機能を発揮させる駆動手段が設けられていることを特徴とするループパイル糸を有するタフテッドタイプのカーペットの各構成材料を分離回収する装置。
【請求項１４】
該第１の把持手段と該第２の把持手段の少なくとも一方は、少なくとも該カーペットの１部を固定把持する構造を有しており、且つ少なくとも該第１の把持手段を該第２の把持手段から該ループパイル糸のステッチ方向に沿って離反する方向に移動させる把持手段移動機構とを有し、少なくとも該第１の把持手段を該第２の把持手段から離反する方向に移動させることによって、カーペット層を構成する該ループパイル糸と基布層と裏打ち層を個別に分離することを特徴とする請求項１３に記載のループパイル糸を有するタフテッドタイプのカーペットの各構成材料を分離回収する装置。
【請求項１５】
少なくともループパイル糸からなるカーペット層と基布層と裏打ち層の三層からなるカーペットの一つの端部を機械的に把持する第１の把持手段と該カーペットの一つの端部から該ループパイル糸のステッチ方向に所定の距離だけ該カーペット本体内部方向に移動した位置に配置されて該カーペットの１部を機械的に把持するか若しくは該カーペットの他方の端部位置に配置され該カーペットの当該端部を機械的に把持する第２の把持手段と、該第１の把持手段と第２の把持手段の間のカーペットを上下動して押圧する押圧部材とで構成されており、当該押圧部材が該カーペットを押圧することによって該カーペットをステッチ方向に引き伸ばして該裏打ち層と基布層の一部を破断せしめると同時に該カーペット層を構成する該ループパイル糸を該ループが解消する様に引き伸ばして該基布層から分離させることを特徴とするループパイル糸を有するタフテッドタイプのカーペットの各構成材料を分離回収する装置。
【請求項１６】
該第１及び第２の把持手段の少なくとも一方は、一対の基体部からなりかつ相互に対向した一対の面のそれぞれに突起部、針状部、突状部、畝状部、溝状部等から選択された少なくとも一つの種類からなる複数個の係止部材が形成されている事を特徴とする請求項１３乃至１５に記載のループパイル糸を有するタフテッドタイプのカーペットの各構成材料を分離回収する装置。
【請求項１７】
該第１の把持手段と該第２の把持手段は、少なくとも該カーペットの１部若しくは該カーペットの端部を機械的に把持する一対の加圧式回転可能ローラからなる構造を有しており、且つ少なくとも該第１の把持手段に於ける該第１の加圧式回転可能ローラの該カーペットを引き伸ばす方向に於ける回転速度を該第２の把持手段に於ける該第２の加圧式回転可能ローラの当該回転速度より大なる速度で回転させる加圧式回転可能ローラー駆動制御手段が設けられていることを特徴とする請求項１３に記載のループパイル糸を有するタフテッドタイプのカーペットの各構成材料を分離回収する装置。
【請求項１８】
該カーペットのトリミング工程に接続して、請求項１３乃至１７に記載された分離回収装置が設けられている事を特徴とするループパイル糸を有するタフテッドタイプのカーペットの各構成材料を分離回収する装置。